(57)【要約】【課題】フィルターが濡れてカビや菌の恐れや、水気を本体内に吸込んでファンモーターや制御基板などの電装部品の故障の恐れが無い手乾燥装置を提供することを目的とする。【解決手段】吸気風路１７内にフィルター２１を設け、乾燥空間６内から手挿入口７方向に向かって着脱することにより、フィルターが濡れてカビや菌の恐れや、水気を本体内に吸込んでファンモーターや制御基板などの電装部品の故障の恐れが無くすることができる手乾燥装置を提供できる。【選択図】図１
2008246055.tif 000002
【特許請求の範囲】
【請求項１】
外部に向かって開口した手挿入口から手を抜き差しできる乾燥空間と、前記乾燥空間に高圧高速風を吹き出すファンモーターと、前記ファンモーターに空気が流入する風路吸気口と、前記ファンモーターと前記風路吸気口との間に吸気風路を有した本体に、この乾燥空間の前記手挿入口近傍において前記乾燥空間に挿入される手に対して前記ファンモーターからの高圧高速風を吹き当てて、手に付着した水分を払拭あるいは乾燥させる手乾燥装置であって、前記吸気風路内にフィルターを設け、前記乾燥空間内から手挿入口方向に向かって着脱することを特徴とした手乾燥装置。
【請求項２】
吸気風路を乾燥空間と分離して設け、前記乾燥空間内にフィルター挿入口を設け、このフィルター挿入口から手挿入口方向に向かって抜き差しすることで前記フィルターが着脱することを特徴とした請求項１記載の手乾燥装置。
【請求項３】
フィルター挿入口とフィルターとの間にパッキンを設けたことを特徴とした請求項２記載の手乾燥装置。
【請求項４】
フィルターは、吸気風路断面に対して斜めに設けたことを特徴とする請求項１または２記載の手乾燥装置。
【請求項５】
フィルターを、屈曲形状に装着することを特徴とする請求項１、２、４のいずれかに記載の手乾燥装置。
【請求項６】
フィルターに、取っ手部を設けたことを特徴とする請求項１〜５のいずれかに記載の手乾燥装置。
【請求項７】
取っ手部に、指挿入穴を設けたことを特徴とする請求項６記載の手乾燥装置。
【請求項８】
指挿入穴の穴方向を、ほぼ水平方向としたことを特徴とする請求項７記載の手乾燥装置。
【請求項９】
フィルターに、緑茶カテキンを塗布したことを特徴とする請求項１〜６のいずれかに記載の手乾燥装置。
【請求項１０】
フィルターに、アレルゲン抑制剤を塗布したことを特徴とする請求項１〜６、９のいずれかに記載の手乾燥装置。
【請求項１１】
フィルター挿入口に、フィルターの着脱状態を検知するリミットスイッチを設け、運転動作をさせることを特徴とする請求項２、３のいずれかに記載の手乾燥装置。
【発明の詳細な説明】
【技術分野】
【０００１】
本発明は、濡れた手に付着している水等を高速風で吹き飛ばし、衛生的に乾燥させる手乾燥装置に関する。
【背景技術】
【０００２】
従来、この種の手乾燥装置は、吸気口に吸い込まれる送風空気の埃を除去するフィルターを設け、このフィルターは、外側に向けてフィルター取っ手を備えたものが知られている（例えば、特許文献１参照）。
【０００３】
図９および図１０に基づいて、その具体例を説明する。
【０００４】
図９および図１０に示すように、この手乾燥装置１０１は、外郭ケース１０２にて外装を形成し、この外郭ケース１０２の内部には、ファンモーター１０３とこのファンモーター１０３を覆って風路を構成するモーターケース１１０と、このモーターケース１１０の下流側と連通し、送風空気を手乾燥装置１０１の下部に吹き出す吹出し口１０５を有する吹出しノズル１０４と、電装部品を制御する制御回路１１５を設けている。外郭ケース１０２下面には、赤外線により手を検知する手検知センサー１１４と、ファンモーター１０３の送風空気を取り込む吸気口１１１を設け、この吸気口１１１には吸い込まれる送風空気の埃を除去するフィルター１１２を設け、このフィルター１１２には外側に向けてフィルター取っ手１１３を備えている。
【０００５】
一方、外郭ケース１０２の下方には、水受け１０８によって手を挿入する手挿入口１０７と手を乾燥させる乾燥空間１０６が形成されている。さらに水受け１０８の下部には、水受け１０８で受けた水滴を溜める水受けカップ１０９が設けられている。
【０００６】
上記のように構成された手乾燥装置１０１は、手挿入口１０７から乾燥空間１０６へ手を入れると、乾燥空間１０６上部の手検知センサー１１４が手を検知してファンモーター１０３が動作する。このファンモーター１０３が動作すると、送風空気が吸気口１１１から吸い込まれるが、この時送風空気に含まれた埃やゴミはフィルター１１２に付着・除去され、きれいな送風空気のみ手乾燥装置１０１内に吸い込まれる。フィルター１１２に付着した埃は、フィルター１１２のフィルター取っ手１１３を持って外して掃除機で吸い取ったり水洗いなどで除去できる。吸い込まれた送風空気は、ファンモーター１０３によって高圧化され、吹出しノズル１０４を通って高速風が吹出し口１０５から乾燥空間１０６に向かって吹き出される。吹き出された送風空気は、濡れた手に当たり手に付着していた水滴を吹き飛ばし乾燥させる。吹き飛ばされた水滴は水受け１０８の内壁で受け止め下方に流れ落ち、水受けカップ１０９に貯水できるものが開示されている。
【特許文献１】国際公開第０２／０２８２５０号パンフレット
【発明の開示】
【発明が解決しようとする課題】
【０００７】
吸気口およびフィルターを乾燥室側の本体下面に設けた場合、ノズルからの風によって手に付着した水滴が飛び散り、その水滴によりフィルターが濡れてしまうだけでなく、フィルターが汚れた状態で濡れるとカビや菌の繁殖の原因となったり、水滴が吸込口から吸込み風と一緒に吸い込まれ、ファンモーターや制御基板などの電装部品の故障の原因となっていた。また、フィルターの引き抜き方向が下方向であるため、力が入りすぎて強く引き抜いた場合、拍子で手が水受けに触れて不快感を感じたり手をぶつけるなどの衛生・安全上の課題があった。
【０００８】
本発明は、フィルターが濡れてカビや菌の恐れや、水気を本体内に吸込んでファンモーターや制御基板などの電装部品の故障の恐れが無く、また、フィルターを強く引き抜いた場合でも、拍子で手が水受けに触れたりぶつけて痛い思いをすることはない、品質・衛生・安全面に配慮した手乾燥装置を提供することを目的とする。
【課題を解決するための手段】
【０００９】
前記課題を解決するために、本発明は、外部に向かって開口した手挿入口から手を抜き差しできる乾燥空間と、前記乾燥空間に高圧高速風を吹き出すファンモーターと、前記ファンモーターに空気が流入する風路吸気口と、前記ファンモーターと前記風路吸気口との間に吸気風路を有した本体に、この乾燥空間の前記手挿入口近傍において前記乾燥空間に挿入される手に対して前記ファンモーターからの高圧高速風を吹き当てて、手に付着した水分を払拭あるいは乾燥させる手乾燥装置であって、前記吸気風路内にフィルターを設け、前記乾燥空間内から手挿入口方向に向かって着脱するものである。
【００１０】
この手段により、フィルターの引き抜き方向が手挿入口方向であるため、力が入りすぎて強く引き抜いた場合でも、拍子で手が水受けに触れて不快感を感じたり、ぶつけて痛い思いをすることはない手乾燥装置を提供できる。
【００１１】
また、他の手段は、吸気風路を乾燥空間と分離して設け、前記乾燥空間内にフィルター挿入口を設け、このフィルター挿入口から手挿入口方向に向かって抜き差しすることで前記フィルターが着脱するものである。
【００１２】
この手段により、吸気風路と乾燥室を水受けで仕切っているため、ノズルからの風によって手に付着した水滴が飛び散り、その水滴によりフィルターが濡れてしまいフィルターにカビや菌が繁殖したり、水滴が吸込口から吸込み風と一緒に本体内に吸い込まれ、ファンモーターや制御基板などの電装部品に悪影響を与えることを防ぐ。また、フィルターは乾燥空間内から着脱できるため、メンテナンス性が向上できる手乾燥装置を提供することができる。
【００１３】
また、他の手段は、フィルター挿入口とフィルターとの間にパッキンを設けたものである。
【００１４】
この手段により、フィルターとフィルター挿入口の間のパッキンにより気密性が保たれることで、水滴が吸込口から吸込み風と一緒に本体内に吸い込まれ、ファンモーターや制御基板などの電装部品に悪影響を与えない手乾燥装置が得られる。
【００１５】
また、他の手段は、フィルターは、吸気風路断面に対して斜めに設けたものである。
【００１６】
この手段により、フィルターを吸気風路断面に対して斜めに設けることにより、フィルターの開口面積を増やすことができるため、フィルターを流れる空気の通過風速が下げられ埃の除去性能を向上させることができ、また、フィルターのメンテナンス時期を延ばすことのできるハンドドライヤーが得られる。
【００１７】
また、他の手段は、フィルターを、屈曲形状に装着するものである。
【００１８】
この手段により、フィルターが屈曲形状に装着することにより、フィルターが曲面となりフィルターの開口面積を増やすことができるため、単位面積当たりの通過風速が下げられ埃の除去性能を向上させることができ、また、フィルターのメンテナンス時期を延ばすことができる手乾燥装置が得られる。
【００１９】
また、他の手段は、フィルターに、取っ手部を設けたものである。
【００２０】
この手段により、フィルターに取っ手部を設けることで、容易に着脱することができる手乾燥装置が得られる。
【００２１】
また、他の手段は、取っ手部に、指挿入穴を設けたものである。
【００２２】
この手段により、フィルターの取っ手部に指の入る指挿入穴を設けることで、指を指挿入穴に入れることができるため、楽に引き出すことができる手乾燥装置が得られる。
【００２３】
また、他の手段は、指挿入穴の穴方向を、ほぼ水平方向としたものである。
【００２４】
この手段により、フィルターの取っ手部の指挿入穴方向をほぼ水平方向とすることで、正面から見たときに目立ち難く、また人差し指を入れることができるため、より楽に引き出すことができる手乾燥装置が得られる。
【００２５】
また、他の手段は、フィルターに、緑茶カテキンを塗布したものである。
【００２６】
この手段により、フィルター表面に緑茶カテキンを塗布することで、フィルターで埃やゴミと一緒に捕らえたウイルスの活動を抑制できるため、清潔で健康に配慮した手乾燥装置が得られる。
【００２７】
また、他の手段は、フィルターに、アレルゲン抑制剤を塗布したものである。
【００２８】
この手段により、フィルター表面にアレルゲン抑制剤を塗布することで、フィルターで埃やゴミと一緒に捕らえたアレルギーの原因となるアレルゲンを抑制できるため、清潔で健康に配慮した手乾燥装置が得られる。
【００２９】
また、他の手段は、フィルター挿入口に、フィルターの着脱状態を検知するリミットスイッチを設け、運転動作をさせるものである。
【００３０】
この手段により、フィルターを取り外してメンテナンスした際、装着し忘れを防ぐことができるため、水滴や埃・ゴミによる電装部品トラブルの少ない手乾燥装置が得られる。
【発明の効果】
【００３１】
本発明の手乾燥装置によれば、外部に向かって開口した手挿入口から手を抜き差しできる乾燥空間と、前記乾燥空間に高圧高速風を吹き出すファンモーターと、前記ファンモーターに空気が流入する風路吸気口と、前記ファンモーターと前記風路吸気口との間に吸気風路を有した本体に、この乾燥空間の前記手挿入口近傍において前記乾燥空間に挿入される手に対して前記ファンモーターからの高圧高速風を吹き当てて、手に付着した水分を払拭あるいは乾燥させる手乾燥装置であって、前記吸気風路内にフィルターを設け、前記乾燥空間内から手挿入口方向に向かって着脱するものであり、フィルターの引き抜き方向が手挿入口方向であるため、力が入りすぎて強く引き抜いた場合でも、拍子で手が水受けに触れて不快感を感じたり、ぶつけて痛い思いをすることはない手乾燥装置を提供できる。
【００３２】
また、吸気風路を乾燥空間と分離して設け、前記乾燥空間内にフィルター挿入口を設け、このフィルター挿入口から手挿入口方向に向かって抜き差しすることで前記フィルターが着脱するものであり、吸気風路と乾燥室を水受けで仕切っているため、ノズルからの風によって手に付着した水滴が飛び散り、その水滴によりフィルターが濡れてしまいフィルターにカビや菌が繁殖したり、水滴が吸込口から吸込み風と一緒に本体内に吸い込まれ、ファンモーターや制御基板などの電装部品に悪影響を与えることを防ぐ。また、フィルターは乾燥空間内から着脱できるため、メンテナンス性が向上できる手乾燥装置を提供できる。
【００３３】
また、フィルター挿入口とフィルターとの間にパッキンを設けたものであり、フィルターとフィルター挿入口の間のパッキンにより気密性が保たれることで、水滴が吸込口から吸込み風と一緒に本体内に吸い込まれ、ファンモーターや制御基板などの電装部品に悪影響を与えない手乾燥装置を提供できる。
【００３４】
また、フィルターは、吸気風路断面に対して斜めに設けたものであり、フィルターを吸気風路断面に対して斜めに設けることにより、フィルターの開口面積を増やすことができるため、フィルターを流れる空気の通過風速が下げられ埃の除去性能を向上させることができ、また、フィルターのメンテナンス時期を延ばすことのできる手乾燥装置を提供できる。
【００３５】
また、フィルターを、屈曲形状に装着するものであり、フィルターが屈曲形状に装着することにより、フィルターが曲面となりフィルターの開口面積を増やすことができるため、単位面積当たりの通過風速が下げられ埃の除去性能を向上させることができ、また、フィルターのメンテナンス時期を延ばすことができる手乾燥装置を提供できる。
【００３６】
また、フィルターに、取っ手部を設けたものであり、フィルターに取っ手部を設けることで、容易に着脱することができる手乾燥装置を提供できる。
【００３７】
また、取っ手部に、指挿入穴を設けたものであり、フィルターの取っ手部に指の入る指挿入穴を設けることで、指を指挿入穴に入れることができるため、楽に引き出すことができる手乾燥装置を提供できる。
【００３８】
また、指挿入穴の穴方向を、ほぼ水平方向としたものであり、フィルターの取っ手部の指挿入穴方向をほぼ水平方向とすることで、正面から見たときに目立ち難く、また人差し指を入れることができるため、より楽に引き出すことができる手乾燥装置を提供できる。
【００３９】
また、フィルターに、緑茶カテキンを塗布したものであり、フィルター表面に緑茶カテキンを塗布することで、フィルターで埃やゴミと一緒に捕らえたウイルスの活動を抑制できるため、清潔で健康に配慮した手乾燥装置を提供できる。
【００４０】
また、フィルターに、アレルゲン抑制剤を塗布したものであり、フィルター表面にアレルゲン抑制剤を塗布することで、フィルターで埃やゴミと一緒に捕らえたアレルギーの原因となるアレルゲンを抑制できるため、清潔で健康に配慮した手乾燥装置を提供できる。
【００４１】
また、フィルター挿入口に、フィルターの着脱状態を検知するリミットスイッチを設け、運転動作をさせるものであり、フィルターを取り外してメンテナンスした際、装着し忘れを防ぐことができるため、水滴や埃・ゴミによる電装部品トラブルの少ない手乾燥装置を提供できる。
【発明を実施するための最良の形態】
【００４２】
本発明の請求項１記載の発明は、外部に向かって開口した手挿入口から手を抜き差しできる乾燥空間と、前記乾燥空間に高圧高速風を吹き出すファンモーターと、前記ファンモーターに空気が流入する風路吸気口と、前記ファンモーターと前記風路吸気口との間に吸気風路を有した本体に、この乾燥空間の前記手挿入口近傍において前記乾燥空間に挿入される手に対して前記ファンモーターからの高圧高速風を吹き当てて、手に付着した水分を払拭あるいは乾燥させる手乾燥装置であって、前記吸気風路内にフィルターを設け、前記乾燥空間内から手挿入口方向に向かって着脱するものであって、フィルターの引き抜き方向が手挿入口方向であるため、引き抜き易く、力強く引き抜いても何もない空間であるため手が水受けなどに触れたり当たらないという作用を有する。
【００４３】
また、吸気風路を乾燥空間と分離して設け、前記乾燥空間内にフィルター挿入口を設け、このフィルター挿入口から手挿入口方向に向かって抜き差しすることで前記フィルターが着脱するものであって、フィルターによって吸気口から吸込まれる空気の埃やゴミを除去し、フィルターは乾燥空間内から着脱できる。また、この時吸気風路と乾燥空間を水受けで仕切られているため、手を乾燥させる時に発生する水滴を吸気口から吸い込まないという作用を有する。
【００４４】
また、フィルター挿入口とフィルターとの間にパッキンを設けたものであって、使用時にファンモーターが動作すると空気を吸い込むため給気風路内が負圧となるが、フィルターとフィルター挿入口の間にパッキンがあるため、フィルターとフィルター挿入口の隙間がシールされ気密状態が保たれるという作用を有する。
【００４５】
また、フィルターは、吸気風路断面に対して斜めに設けたものであって、フィルターを吸気風路断面に対して斜めに設けることでフィルター面積が広くとれるため、フィルターを流れる空気の単位面積当たりの通過風速が下げられ、また埃の捕集面積も増えるという作用を有する。
【００４６】
また、フィルターを、屈曲形状に装着するものであって、フィルターを挿入する際、屈曲形状に装着することにより、フィルターの開口面積を増やすことができるため、フィルターを流れる空気の通過風速が下げられ埃の除去性能を向上させることができ、また、フィルターのメンテナンス時期を延ばすことができるという作用を有する。
【００４７】
また、フィルターに、取っ手部を設けたものであって、フィルターの取っ手部を持って着脱できるという作用を有する。
【００４８】
また、取っ手部に、指挿入穴を設けたものであって、フィルターの取っ手部の指挿入穴に指を入れることができるため、人差し指を挿入して楽に引き抜くことができるという作用を有する。
【００４９】
また、指挿入穴の穴方向を、ほぼ水平方向としたものであって、フィルターの取っ手部の指挿入穴をほぼ水平方向とすることで、取っ手部自体が目立ち難く、また人差し指を引っ掛けやすく引き出しやすいという作用を有する。
【００５０】
また、フィルターに、緑茶カテキンを塗布したものであって、フィルター表面に緑茶カテキンを塗布することで、フィルターで埃やゴミと一緒に捕らえたウイルスの活動を抑制するという作用を有する。
【００５１】
また、フィルターに、アレルゲン抑制剤を塗布したものであって、フィルター表面にアレルゲン抑制剤を塗布することで、フィルターで埃やゴミと一緒に捕らえたアレルギーの原因となるアレルゲンを抑制するという作用を有する。
【００５２】
また、フィルター挿入口に、フィルターの着脱状態を検知するリミットスイッチを設け、運転動作をさせるものであって、フィルターを挿入するとリミットスイッチが押され、電源が通電することで運転できる状態となる。逆にフィルターを抜くとリミットスイッチが離れて電源が遮断されることで運転できない状態となるという作用を有する。
【００５３】
以下、本発明の実施の形態について図面を参照しながら説明する。
【００５４】
（実施の形態１）
図１〜図４を用いて、本実施の形態１による手乾燥装置について説明をおこなう。
【００５５】
図１は本発明の実施の形態の縦断面図で、風の流れを示した図で、図２は同装置の上部縦断面図、図３は同装置のフィルターを屈曲形状に装着する状態を示す図で、図４は同装置のフィルターに取っ手部を設けた例を示す図である。
【００５６】
図１および図２を用いて説明する。
【００５７】
この手乾燥装置の本体１は外郭ケース２に覆われ、内部には主に、風を発生させるファンモーター３と、このファンモーター３を覆って風路を構成するモーターケース１３と、このモーターケース３の下流側と連通した吹出しノズル４と、電装部品を制御する制御回路１２で構成している。吹出しノズル４の先端には、乾燥空間６に向けて設けられた空気を吹き出させる吹出し口５を有し、また、外郭ケース２下面には、乾燥空間６の手の挿入を検知する手検知センサー１１と、空気を吸い込む本体吸気口１５と、吸い込まれた空気を浄化する取っ手部２４を有するフィルター２１が設けられている。本体１の下方には、水受け８によって手を挿入する手挿入口７と手を乾燥させる乾燥空間６が形成されている。さらに水受け８の下部には、水受け８で受けた水滴を溜める水受けカップ９が設けられており、水受け８の底部には水受け８に流れ落ちた水を水受けカップ９に導くドレン穴１０を設けている。外郭ケース２下面の本体吸気口１６は、水受け８によって乾燥空間６と仕切られており、壁と水受け８の間で吸気風路１７が形成され、結果的に水受け８の底部が風路吸気口１５となる。乾燥空間６の外郭ケース２の下面には、周囲にパッキン２０を配したフィルター挿入口２３を設けている。このフィルター挿入口２３から本体１内の吸気風路１７に吸気風路１７断面に対して斜めにフィルターガイド２２を設け、フィルター２１はフィルター挿入口２３から挿入でき、本体内の吸気風路１７に収まる。この時、フィルター２１の引き抜き方向（フィルターガイド２２方向）は手挿入口７方向に向いている構成となっている。また、水受け８は着脱自在となっており、水受け８に設けた水受け固定ネジ１８を、本体裏板１４の水受け固定ナット１９に締付けることにより、固定できるようになっている。
【００５８】
上記構成により、手を手挿入口７から乾燥空間６に挿入すると、手検知センサー１１が手から出る赤外線を検知し、制御回路１２を介してファンモーター３が動作を開始する。ファンモーター３が動作を始めると、風路吸気口１５から空気が吸い込まれ、水受け８と壁の間の吸気風路１７を通って本体吸気口１６から本体１内に吸い込まれる。吸い込まれた空気は、フィルター２１によって埃やゴミが除去され、モーターケース１３内のファンモーター３で高圧化される。高圧化された空気は、吹出しノズル４に流入し先端の吹出し口５から高速風となって乾燥空間６の手に当たり、手に付いた水滴を払拭し乾燥させる。手の乾燥時に雫や飛び散った水滴は、水受け８により回収され底に溜まった水滴は、ドレン穴１０から水受けカップ９に流れ落ちて貯水される。この水受け８は、水受け固定ネジ１８を本体裏板１４の水受け固定ナット１９に締付けることで固定・保持される。また、フィルター２１は、フィルター挿入口２３から挿入するとフィルターガイド２２に沿って収まることで、吸気風路１７断面に対して斜めに取り付く。この時、フィルター挿入口２３の周囲に配したパッキン２０によりフィルター挿入口２３がシールされ、乾燥空間６内の空気や水滴が吸気風路１７内に浸入しないようになっており、フィルター２１の取っ手部２４は外郭ケース２下面に突き出した状態となり、掃除する際は、図４に示すフィルター２１の取っ手部２４Ａを持って手挿入口７方向に引っ張ることでフィルター２１を取り外すことができる。これにより、フィルター２１の引き抜き方向が手挿入口７方向であるため、力が入りすぎて強く引き抜いた場合でも、拍子で手が水受け８に触れて不快感を感じたり、ぶつけて痛い思いをするようなことはなくなる。
【００５９】
また、ファンモーター３の吸気風路１７を乾燥空間６と分離して設け、吸気風路１７内にフィルター２１を設けるとともに、乾燥空間６内にフィルター挿入口２３を設け、このフィルター挿入口２３から手挿入口７方向に向かって抜き差しすることでフィルター２１が着脱できるため、吹出し口５からの風によって手に付着した水滴が飛び散り、その水滴によりフィルター２１が濡れてしまいフィルター２１にカビや菌が繁殖したり、水滴が吸込口から吸込み風と一緒に本体１内に吸い込まれ、ファンモーター３や制御回路１２などの電装部品に悪影響を与えることを防ぐ。また、フィルター２１は乾燥空間６内から着脱できるため、メンテナンス性が向上できる。
【００６０】
また、フィルター挿入口２３とフィルター２１の間にパッキン２０を設けることで、フィルター２１とフィルター挿入口２３の間のパッキン２０により気密性が保たれ、乾燥空間６内の水滴がフィルター挿入口２３の隙間から本体１内に吸い込まれ、ファンモーター３や制御回路１２などの電装部品に悪影響を与えることはなくなる。
【００６１】
また、フィルター２１を吸気風路１７断面に対して斜めに設けることで、フィルター２１の開口面積を増やすことができるため、フィルター２１を流れる空気の通過風速が下げられ埃の除去性能を向上させることができるとともに、フィルター２１のメンテナンス時期を延ばすことができる。
【００６２】
また、図３に示すように、フィルターガイド２２Ａを屈曲形状に配置するとフィルター２１を装着するに連れ、フィルター２１が曲面形状となりフィルター２１の開口面積をさらに増やすことができるため、単位面積当たりの通過風速が下げられ埃の除去性能を向上させることができるとともに、フィルター２１のメンテナンス時期をさらに延ばすことができる。
【００６３】
また、図１に示すように、フィルターの表面に緑茶カテキンを塗布したり、あるいはアレルゲン抑制剤を塗布したことを特徴としたものである。
【００６４】
上記構成により、フィルター表面に緑茶カテキンを塗布することで、フィルターで埃やゴミと一緒に捕らえたウイルスの活動を抑制できる。
【００６５】
また、フィルターの表面にアレルゲン抑制剤を塗布することで、フィルターで埃やゴミと一緒に捕らえたアレルギーの原因となるアレルゲンを抑制できる。
【００６６】
（実施の形態２）
図５、図６を用いて本実施の形態２による手乾燥装置について説明をおこなう。
【００６７】
図５は同装置のフィルターの取っ手に指挿入穴を設けた例を示す図、図６は同装置のフィルターの取っ手に指挿入穴を水平方向に設けた例を示す図であり、実施の形態１と同じ部分については同一の符号を用い、それらについての説明を省略する。
【００６８】
実施の形態２は実施の形態１に対して図１および図５に示すように、フィルター２１の取っ手部２４Ａを指の入る指挿入穴２５を設けた取っ手部２４Ｂにし、この指挿入穴２５の方向をほぼ水平方向とした構成となっている。
【００６９】
上記構成により、フィルター２１の取っ手部２４Ａを設けることで、人差し指を指挿入穴２５に入れることができるため、楽に引き出すことができる。さらに、取っ手部２４Ｂの指挿入穴２５の方向をほぼ水平方向とすることで、人差し指を横から挿入できるためより引き出しやすくなり、また正面から見たときに取っ手部２４Ｂが目立ち難くデザイン性も向上できる。
【００７０】
なお、図では取っ手部２４Ａ・２４Ｂの指挿入穴２５を丸穴としたが、丸穴でなくても角穴やＵ字型、カギ型であっても指を引っ掛けられる形状であれば効果は同じである。
【００７１】
（実施の形態３）
図７および図８を用いて本実施の形態４による手乾燥装置について説明をおこなう。
【００７２】
図７は同装置のフィルター付近の部分縦断面図で、フィルターがリミットスイッチを押している状態を示す図、図８は同装置のフィルター付近の部分縦断面図で、フィルターを外す際にリミットスイッチが離れる状態を示す図であり、実施の形態１と同じ部分については同一の符号を用い、それらについての説明を省略する。
【００７３】
実施の形態３は、実施の形態１に対して図７および図８に示すように、フィルター挿入口２３にフィルター２１の着脱状態を検知するリミットスイッチ２７を設け、運転動作をさせる構成となっている。
【００７４】
上記構成により、フィルター２１を挿入するとリミットスイッチ２７が押され、電源が通電することで運転できる状態となる。逆にフィルター２１を抜くとリミットスイッチ２７が離れて電源が遮断されることで運転できない状態となる。そのため、フィルター２１を取り外してメンテナンスした際、装着し忘れを防ぐことができ、水滴や埃・ゴミによる電装部品トラブルを無くすることができる。
【産業上の利用可能性】
【００７５】
本発明の手乾燥装置は、家庭用、老人福祉関係、病院、食品を扱う場所などの洗面所・トイレなどでの手乾燥、あるいは本体サイズを変えるなど技術を応用すれば足乾燥などにおいても適用できる。
【図面の簡単な説明】
【００７６】
【図１】本発明の実施の形態１の手乾燥装置の風の流れを示した縦断面図
【図２】同手乾燥装置のフィルターを挿入する状態を示す上部縦断面図
【図３】同手乾燥装置のフィルターを屈曲形状に装着する状態を示す上部縦断面図
【図４】同手乾燥装置のフィルターの取っ手を設けた例を示す斜視図
【図５】本発明の実施の形態２の手乾燥装置のフィルターの取っ手に指挿入穴を設けた例を示す斜視図
【図６】同手乾燥装置のフィルターの取っ手に指挿入穴を水平方向に設けた例を示す斜視図
【図７】本発明の実施の形態３の手乾燥装置のフィルターがリミットスイッチを押している状態を示すフィルター付近の部分縦断面図
【図８】同手乾燥装置のフィルターを外す際にリミットスイッチが離れる状態を示すフィルター付近の部分縦断面図
【図９】従来の手乾燥装置のフィルターを外す様子を示す縦断面図
【図１０】同手乾燥装置の風の流れを示した縦断面図
【符号の説明】
【００７７】
１      本体
３      ファンモーター
６      乾燥空間
７      手挿入口
１７    吸気風路
２０    パッキン
２１    フィルター
２３    フィルター挿入口
２４    取っ手部
２４Ａ  取っ手部
２４Ｂ  取っ手部
２５    指挿入穴
２７    リミットスイッチ
【図１】
2008246055.tif 000003
【図２】
2008246055.tif 000004
【図３】
2008246055.tif 000005
【図４】
2008246055.tif 000006
【図５】
2008246055.tif 000007
【図６】
2008246055.tif 000008
【図７】
2008246055.tif 000009
【図８】
2008246055.tif 000010
【図９】
2008246055.tif 000011
【図１０】
2008246055.tif 000012